(57)【要約】【課題】  モータ支持台の支持部と整流部とを一つの部材で形成したことで、これら支持部と整流部とを溶接などで一体化する必要をなくしてコストを抑え、重量増になってしまわないようにした空気調和機の室外機を提供する。【解決手段】  吸込口と吹出口とを結ぶ空気通路に、平行な支持梁６で両端が保持され、ファンモータ４を支持する支持部８と空気を整流する整流部１０とを備えた一対のモータ支持台７が設けられてなる空気調和機の室外機において、前記モータ支持台７は、前記支持部８と前記整流部１０とを一つの部材で形成してなる構成にした。【選択図】  図４
2009058149.tif 000002
【特許請求の範囲】
【請求項１】
吸込口と吹出口とを結ぶ空気通路に、平行な支持梁により両端が保持され、ファンモータを支持する支持部と空気を整流する整流部とを備えた一対のモータ支持台が設けられてなる空気調和機の室外機において、
前記モータ支持台は、前記支持部と前記整流部とが一つの部材で形成されてなることを特徴とする空気調和機の室外機。
【請求項２】
前記モータ支持台に保持部を付設し、同保持部が前記支持梁で保持されてなることを特徴とする請求項１に記載の空気調和機の室外機。
【請求項３】
前記モータ支持台に接合部を形成し、同接合部が前記支持梁に接合されてなることを特徴とする請求項１に記載の空気調和機の室外機。
【発明の詳細な説明】
【技術分野】
【０００１】
本発明は、空気調和機の室外機に係わり、より詳細には、ファンモータを支持するモータ支持台の支持部と整流部とを一つの部材で形成した構造に関する。
【背景技術】
【０００２】
従来の空気調和機の室外機は、空気流に起因する風きり音、振動音を低減できるものとして、図１０（Ａ）に示すように、圧縮機ａと、室外熱交換器ｂと、ファンｃと、ファンｃを駆動するファンモータｄと、ファンモータｄを支えるモータ支持台ｅとを備え、ファンｃは室外熱交換器ｂに風を当て、冷媒と空気の熱交換を促進し、モータ支持台ｅには整流部材ｆが設けられており、この整流部材ｆは、矢印ｈのようにモータ支持台ｅに向かって流れてくる空気を所定の方向に偏向させるようにしたものが知られている（例えば、特許文献１参照。）。
【０００３】
モータ支持台ｅは、図１０（Ｂ）に示すように、重量物であるファンモータｄを固定するため断面形状がコ字状をなすように形成されて剛性を確保しており、整流部材ｆは、モータ支持台ｅに空気流が直接当たらないように偏向することで空気抵抗を小さくし、風きり音を減少させることで整流部材ｆがない場合よりもファンｃの回転数を上げることを可能にして、風量の増加により空気調和機の室外機としての性能を向上できるようになっている。
【０００４】
しかしながら、モータ支持台ｅに対し整流部材ｆを溶接するなどにより一体化した構成であることから、構成部材および組立工程が増加してコスト高になってしまうとともに、室外機が重量増になってしまったり、また、空気流の多い側のモータ支持台ｅと整流部材ｆとに僅かな隙間ｇができて空気が流入し、該箇所で笛吹き音が生じてしまうおそれがあった。
【特許文献１】特開２００７−１４７２４９号公報
【発明の開示】
【発明が解決しようとする課題】
【０００５】
そこで、本発明は上述した課題を解決するためになされたものであって、その目的は、モータ支持台の支持部と整流部とを一つの部材で形成したことで、これら支持部と整流部とを溶接などで一体化する必要をなくしてコストを抑え、重量増になってしまわないようにした空気調和機の室外機を提供することにある。
【課題を解決するための手段】
【０００６】
上述した目的を達成できるように、構成部材および組立工程を増加させないようにしてコストを抑えるとともに、重量増にならないようにするため、本発明は以下に示す特徴を備えている。
【０００７】
吸込口と吹出口とを結ぶ空気通路に、平行な支持梁により両端が保持され、ファンモータを支持する支持部と空気を整流する整流部とを備えた一対のモータ支持台が設けられてなる空気調和機の室外機において、
前記モータ支持台は、前記支持部と前記整流部とが一つの部材で形成されてなることを特徴としている。
【０００８】
また、前記モータ支持台に保持部を付設し、同保持部が前記支持梁で保持されてなることを特徴としている。
【０００９】
また、前記モータ支持台に接合部を形成し、同接合部が前記支持梁に接合されてなることを特徴としている。
【発明の効果】
【００１０】
本発明によれば、モータ支持台の支持部と整流部とを一つの部材で形成したことで、これら支持部と整流部とを溶接などで一体化する必要をなくしてコストを抑え、重量増になってしまわないようにした空気調和機の室外機を提供できる。
【発明を実施するための最良の形態】
【００１１】
次に、本発明の実施形態について図面を参照しながら説明する。
【００１２】
図１は本発明による空気調和機の室外機の断面図であり、図２は本発明による空気調和機の室外機の説明図で、（Ａ）は外観斜視図、（Ｂ）は要部斜視図であり、図３は本発明による空気調和機の室外機の実施例１を示す要部説明図で、（Ａ）は図２（Ｂ）に示すＡ矢視図、（Ｂ）は図３（Ａ）に示すＢ矢視図であり、図４は実施例１として図２（Ｂ）に示すＡ’矢視図であり、図５は本発明による空気調和機の室外機の実施例２を示す要部説明図で、（Ａ）は図２（Ｂ）に示すＡ矢視図、（Ｂ）は図５（Ａ）に示すＢ矢視図であり、図６は実施例２として図２（Ｂ）に示すＡ’矢視図であり、図７は本発明による空気調和機の室外機の実施例３を示す要部説明図で、（Ａ）は図２（Ｂ）に示すＡ矢視図、（Ｂ）は図７（Ａ）に示すＢ矢視図であり、図８は実施例３として図２（Ｂ）に示すＡ’矢視図であり、図９は本発明による空気調和機の室外機の実施例４を示す要部説明図で、（Ａ）は図２（Ｂ）に示すＡ矢視図、（Ｂ）は図９（Ａ）に示すＢ矢視図である。
【００１３】
本発明による空気調和機の室外機は、図１に示すように、底板１１の上部が仕切板１２により上下に区画されている。
【００１４】
前記仕切板１２の下部には、前記底板１１上に圧縮機１３を載置した圧縮機室が設けられている。
【００１５】
また、前記仕切板１２の上部には、吸込口１と吹出口２とを結ぶ空気通路が形成されるとともに、同空気通路に熱交換器３およびファンモータ４に連結された送風ファン５を配設した熱交換器室が設けられている。
【００１６】
前記底板１１には外胴１４が被着されている。前記外胴１４は、前面側の前記吸込口１を有する前面カバー１４ａと、両側部をカバーする側面カバー１４ｂと、背面側の前記吸込口１を有する背面カバー１４ｃと、前記吹出口２を有する上面カバー１４ｄとからなる構成になっている。
【００１７】
前記ファンモータ４を一台支持するための一対のモータ支持台７は、製作しやすくして軽量化をはかったシンプルな構成であって、前記ファンモータ４の質量が大きいことや、駆動時に振動が生じることなどに対応できるだけの強度をもたせている。
【実施例１】
【００１８】
前記モータ支持台７は、実施例１として図３（Ａ）および図３（Ｂ）と、図４とに示すように、シンプルな構成で強度をもたせるようにするため、前記ファンモータ４の固定部４ａを載置して、ねじ１５によりねじ締め固定する水平状の支持部８と、同支持部８に断面Ｌ字状に連続形成された垂直部９と、同垂直部９に鈍角でなる角度θを有して断面Ｌ字状に連続形成された整流部１０とからなる構成になっている。
【００１９】
すなわち、前記モータ支持台７は、前記ファンモータ４を支持するための前記支持部８が、同支持部８に向かう空気を整流する前記整流部１０と一つの部材からなるように形成された構成であって、前記側面カバー１４ｂの内側に左右両端部が固定され断面コ字状に形成された一対の支持梁６に、前記整流部１０の両端位置を保持する保持部６ａを付設することによって支持されている。
【００２０】
なお、前記保持部６ａは、前記整流部１０の両端位置に溶接または螺着されるとともに、前記支持梁６に設けられたねじ孔にねじ１５を螺着することによりねじ締め固定されている。
【００２１】
これにより、前記モータ支持台７に向かう空気は、図４に示す矢印のように、前記整流部１０によって前記モータ支持台７に直接当たらないように流れを偏向させながら整流することになり、該箇所における空気抵抗を小さく抑えることができる。
【００２２】
また、前記モータ支持台７は、図４に示すように、相対向する開口部７ａを有した構成になっており、同開口部７ａは、背景技術として上述した僅かな隙間のように、空気が流入して該箇所で笛吹き音が生じてしまうというおそれがないように形成されている。
【００２３】
前記開口部７ａは、上述した僅かな隙間よりも大きく形成され、且つ流通する空気量が少ない前記モータ支持台７の内側に向けられる一方、前記垂直部９は、流通する空気量が多い外側に設けられていて該箇所の流れを円滑にしている。
【００２４】
これにより、前記モータ支持台７の支持部８と整流部１０とを一つの部材で形成した構造にしたことで、これら支持部８と整流部１０とは、上述した背景技術のように溶接などで一体化する必要をなくしてコストを抑えることができるようになり、重量増になってしまうことがないようにした空気調和機の室外機となる。
【実施例２】
【００２５】
または、前記モータ支持台７は、実施例２として図５（Ａ）および図５（Ｂ）と、図６とに示すように、前記保持部６ａを用いないことでさらにシンプル化をはかるため、前記ファンモータ４の固定部４ａを載置して、ねじ１５によりねじ締め固定する水平状の支持部８と、同支持部８に断面Ｌ字状に連続形成された垂直部９と、同垂直部９に鈍角でなる角度θを有して断面Ｌ字状に連続形成された整流部１０とからなる構成にし、且つ、同整流部１０の両側には切欠形状でなる接合部１０ａが形成されている。
【００２６】
前記支持梁６は、図５（Ａ）および図５（Ｂ）に示す二点鎖線のように断面Ｌ字状に形成されており、前記整流部１０に形成した接合部１０ａは、断面Ｌ字状に形成された前記支持梁６の垂直部に対応して、この垂直部の一部をほぼ隙間なく収容できるように形成されている。
【００２７】
前記支持梁６は、断面Ｌ字状に形成されたことで、実施例１に記載した構成のように断面コ字状に形成された場合に較べてさらにシンプルな構成になり、また、重量が増加しないように抑えることができる構成になる。
【００２８】
前記支持梁６の垂直部が、前記整流部１０に形成した接合部１０ａに収容された際、同接合部１０ａの上端に前記支持梁６の垂直部の上端が当接することで、前記支持梁６に前記モータ支持台７の両端部が保持されることになる。
【００２９】
なお、前記支持梁６に両端部が保持された前記モータ支持台７は、これら支持梁６とモータ支持台７の両端部とを溶接または螺着するなどにより一体化してもよい。
【００３０】
前記モータ支持台７がシンプルな構成で形成され、同モータ支持台７に向かう空気は、図６に示す矢印のように、前記整流部１０によって前記モータ支持台７に直接当たらないように流れを偏向させながら整流することになり、該箇所における空気抵抗を小さく抑えることができる。
【００３１】
また、前記モータ支持台７は、図６に示すように、相対向する開口部７ａを有した構成になっており、同開口部７ａは、背景技術として上述した僅かな隙間のように、空気が流入して該箇所で笛吹き音が生じてしまうというおそれはない。
【００３２】
前記開口部７ａは、上述した僅かな隙間よりも大きく形成され、且つ流通する空気量が少ない前記モータ支持台７の内側に向けられる一方、前記垂直部９は、流通する空気量が多い外側に設けられていて該箇所の流れを円滑にしている。
【００３３】
これにより、前記支持部８、前記垂直部９および前記整流部１０で構成される前記モータ支持台７がシンプルな構成で形成されることになり、前記支持部８と前記整流部１０とは、上述した背景技術のように溶接などで一体化する必要をなくしてコストを抑えることができるようになり、重量増になってしまわないようにできる。
【実施例３】
【００３４】
また、前記モータ支持台７は、実施例３として図７（Ａ）および図７（Ｂ）と、図８とに示すように、前記垂直部９の一部に前記支持部８に対し平行であって、断面コ字状に形成された前記支持梁６の上面部に当接する水平状の当接部９ａが連続形成されてなる構成にしてもよい。
【００３５】
前記当接部９ａを設けたことで、前記支持梁６の上面部で受ける面積を増加させて強度をもたせ、これら当接部９ａと支持梁６の上面部とを溶接または螺着するなどにより一体化させて、前記モータ支持台７を強固に保持できるようになる。
【実施例４】
【００３６】
または、前記モータ支持台７は、実施例４として図９（Ａ）および図９（Ｂ）に示すように、前記支持部８に連続形成されたねじ孔を備えた垂直部と、この垂直部に連続形成された水平部とで断面Ｌ字状に形成された固定部８ａを設けてなる構成にしてもよい。
【００３７】
この場合、前記支持梁６は、例えば図９（Ｂ）に二点鎖線で示すように、断面コ字部と断面Ｌ字部とを連続形成した構成にしており、同断面Ｌ字部に前記垂直部に備えたねじ孔に対応する固定孔６ｂを設け、同固定孔６ｂを通したねじ１５を前記ねじ孔に螺着して前記モータ支持台７を固定するようになっている。
【００３８】
その際、前記固定部８ａの水平部が前記支持梁６を構成する断面Ｌ字部の水平面上に載置されることで、同断面Ｌ字部の水平面に前記モータ支持台７が支持され位置決めされて、前記固定部８ａのねじ孔に前記支持梁６の固定孔６ｂを通したねじ１５を正確に螺着できるようになっている。
【００３９】
以上説明したように、本構成によれば、前記モータ支持台７や前記支持梁６をシンプルに構成できるようになり、上述した背景技術のような溶接工程をなくしてコストを抑えることができるとともに、重量増になってしまわないようになり、また、僅かな隙間に空気が流入した時の笛吹き音が生じるおそれがない前記モータ支持台７を有する空気調和機の室外機となる。
【図面の簡単な説明】
【００４０】
【図１】本発明による空気調和機の室外機の断面図である。
【図２】本発明による空気調和機の室外機の説明図で、（Ａ）は外観斜視図であり、（Ｂ）は要部斜視図である。
【図３】本発明による空気調和機の室外機の実施例１を示す要部説明図で、（Ａ）は図２（Ｂ）に示すＡ矢視図であり、（Ｂ）は図３（Ａ）に示すＢ矢視図である。
【図４】図４は実施例１として図２（Ｂ）に示すＡ’矢視図である。
【図５】本発明による空気調和機の室外機の実施例２を示す要部説明図で、（Ａ）は図２（Ｂ）に示すＡ矢視図であり、（Ｂ）は図５（Ａ）に示すＢ矢視図である。
【図６】実施例２として図２（Ｂ）に示すＡ’矢視図である。
【図７】本発明による空気調和機の室外機の実施例３を示す要部説明図で、（Ａ）は図２（Ｂ）に示すＡ矢視図であり、（Ｂ）は図７（Ａ）に示すＢ矢視図である。
【図８】実施例３として図２（Ｂ）に示すＡ’矢視図である。
【図９】本発明による空気調和機の室外機の実施例４を示す要部説明図で、（Ａ）は図２（Ｂ）に示すＡ矢視図であり、（Ｂ）は図９（Ａ）に示すＢ矢視図である。
【図１０】従来例による空気調和装置の室外ユニットの説明図で、（Ａ）は断面図であり、（Ｂ）は要部断面図である。
【符号の説明】
【００４１】
１  吸込口
２  吹出口
３  熱交換器
４  ファンモータ
４ａ  固定部
５  送風ファン
６  支持梁
６ａ  保持部
６ｂ  固定孔
７  モータ支持台
７ａ  開口部
８  支持部
８ａ  固定部
９  垂直部
９ａ  当接部
１０  整流部
１０ａ  接合部
１１  底板
１２  仕切板
１３  圧縮機
１４  外胴
１４ａ  前面カバー
１４ｂ  側面カバー
１４ｃ  背面カバー
１４ｄ  上面カバー
１５  ねじ
【図１】
2009058149.tif 000003
【図２】
2009058149.tif 000004
【図３】
2009058149.tif 000005
【図４】
2009058149.tif 000006
【図５】
2009058149.tif 000007
【図６】
2009058149.tif 000008
【図７】
2009058149.tif 000009
【図８】
2009058149.tif 000010
【図９】
2009058149.tif 000011
【図１０】
2009058149.tif 000012